(57)【特許請求の範囲】
【請求項１】
外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と、
前記外部機器との通信が切断されていた期間内に当該外部機器で生じた前記報知動作に係る所定のイベントの発生履歴の送信を要求して取得する履歴取得手段と、
を備え、
前記報知動作設定手段は、前記報知手段による報知動作の出力レベルを変化させる設定を行い、
前記報知動作制御手段は、取得された前記発生履歴に前記所定のイベントの発生が含まれている場合に、前記報知動作を行わせる
ことを特徴とする携帯型電子装置。
【請求項２】
外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と、
前記外部機器との通信が切断されていた期間内に当該外部機器で生じた前記報知動作に係る所定のイベントの発生履歴の送信を要求して取得する履歴取得手段と、
を備え、
前記報知動作設定手段は、自機の運動状態が変化した場合に、前記外部機器に最新の運動状態に係る情報の送信を要求し、取得された当該最新の運動状態と自機の運動状態とに基づいて報知動作に係る設定を更新し、
前記報知動作制御手段は、取得された前記発生履歴に前記所定のイベントの発生が含まれている場合に、前記報知動作を行わせる
ことを特徴とする携帯型電子装置。
【請求項３】
前記報知動作設定手段は、前記外部機器の運動状態と自機の運動状態とが異なる場合に、前記報知手段による報知動作を許可することを特徴とする請求項１又は２に記載の携帯型電子装置。
【請求項４】
前記履歴取得手段により取得された前記発生履歴に係る所定の情報を表示する表示手段を備えることを特徴とする請求項１〜３の何れか一項に記載の携帯型電子装置。
【請求項５】
ユーザの腕に装着するための装着手段を備えることを特徴とする請求項１〜４の何れか一項に記載の携帯型電子装置。
【請求項６】
請求項１〜５の何れか一項に記載の携帯型電子装置と外部機器を備え、前記携帯型電子装置と前記外部機器との間で前記近距離無線通信により送受信された互いの運動状態に基づいて前記携帯型電子装置と前記外部機器との各々における前記報知動作の設定及び制御を行う通信システム。
【請求項７】
外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と、
前記外部機器との通信が切断されていた期間内に当該外部機器で生じた前記報知動作に係る所定のイベントの発生履歴の送信を要求して取得する履歴取得手段と、を備え、
前記報知動作制御手段は、取得された前記発生履歴に前記所定のイベントの発生が含まれている場合に、前記報知動作を行わせる携帯型電子装置と、
前記外部機器は、
電話音声データ及び／又は電子メールデータを送受信する外部通信手段と、
前記携帯型電子装置から運動状態が受信されたか否かを判別する着信情報送信判別手段と、
当該着信情報送信判別手段により前記運動状態が受信されたと判別された場合に、電話及び／又は電子メールが着信した際に前記携帯型電子装置に対して着信情報を送信する設定を行う着信情報送信設定手段と、を備え、
前記携帯型電子装置と前記外部機器との間で前記近距離無線通信により送受信された互いの運動状態に基づいて前記携帯型電子装置と前記外部機器との各々における前記報知動作の設定及び制御を行う通信システム。
【請求項８】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置における報知動作制御方法であって、
前記計測手段による計測に基づく自機の運動状態、及び、前記無線通信手段により取得された前記外部機器の運動状態に基づいて、前記報知動作の実行可否及び／又は動作モードを設定する報知動作設定ステップ、
前記報知動作設定ステップにおける設定に基づいて、前記報知手段に前記報知動作を行わせる報知動作制御ステップ、
前記外部機器との通信が切断されていた期間内に当該外部機器で生じた前記報知動作に係る所定のイベントの発生履歴の送信を要求して取得する履歴取得ステップと、
を含み、
前記報知動作設定ステップは、前記報知手段による報知動作の出力レベルを変化させる設定を行い、
前記報知動作制御ステップは、取得された前記発生履歴に前記所定のイベントの発生が含まれている場合に、前記報知動作を行わせることを特徴とする報知動作制御方法。
【請求項９】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置における報知動作制御方法であって、
前記計測手段による計測に基づく自機の運動状態、及び、前記無線通信手段により取得された前記外部機器の運動状態に基づいて、前記報知動作の実行可否及び／又は動作モードを設定する報知動作設定ステップ、
前記報知動作設定ステップにおける設定に基づいて、前記報知手段に前記報知動作を行わせる報知動作制御ステップ、
前記外部機器との通信が切断されていた期間内に当該外部機器で生じた前記報知動作に係る所定のイベントの発生履歴の送信を要求して取得する履歴取得ステップと、
を含み、
前記報知動作設定ステップは、自機の運動状態が変化した場合に、前記外部機器に最新の運動状態に係る情報の送信を要求し、取得された当該最新の運動状態と自機の運動状態とに基づいて報知動作に係る設定を更新し、
前記報知動作制御ステップは、取得された前記発生履歴に前記所定のイベントの発生が含まれている場合に、前記報知動作を行わせることを特徴とする報知動作制御方法。
【請求項１０】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置に用いられるコンピュータを、
前記計測手段による計測に基づく自機の運動状態、及び、前記無線通信手段により取得された前記外部機器の運動状態に基づいて、前記報知動作の実行可否及び／又は動作モードを設定する報知動作設定手段、
前記報知動作設定手段の設定に基づいて、前記報知手段に前記報知動作を行わせる報知動作制御手段、
前記外部機器との通信が切断されていた期間内に当該外部機器で生じた前記報知動作に係る所定のイベントの発生履歴の送信を要求して取得する履歴取得手段
として機能させ、
前記報知動作設定手段は、前記報知手段による報知動作の出力レベルを変化させる設定を行い、
前記報知動作制御手段は、取得された前記発生履歴に前記所定のイベントの発生が含まれている場合に、前記報知動作を行わせるためのプログラム。
【請求項１１】
外部機器との間で近距離無線通信によりデータの送受信を行う無線通信手段と、自機の所定の運動状態を判定するための物理量を計測する計測手段と、所定の報知動作を実行する報知手段と、を備える携帯型電子装置に用いられるコンピュータを、
前記計測手段による計測に基づく自機の運動状態、及び、前記無線通信手段により取得された前記外部機器の運動状態に基づいて、前記報知動作の実行可否及び／又は動作モードを設定する報知動作設定手段、
前記報知動作設定手段の設定に基づいて、前記報知手段に前記報知動作を行わせる報知動作制御手段、
前記外部機器との通信が切断されていた期間内に当該外部機器で生じた前記報知動作に係る所定のイベントの発生履歴の送信を要求して取得する履歴取得手段
として機能させ、
前記報知動作設定手段は、自機の運動状態が変化した場合に、前記外部機器に最新の運動状態に係る情報の送信を要求し、取得された当該最新の運動状態と自機の運動状態とに基づいて報知動作に係る設定を更新し、
前記報知動作制御手段は、取得された前記発生履歴に前記所定のイベントの発生が含まれている場合に、前記報知動作を行わせるためのプログラム。
【請求項１２】
所定の報知動作を実行する報知手段と、
計測手段による計測に基づく自機の運動状態、及び、無線通信手段により取得された外部機器の運動状態に基づいて、前記報知動作の実行可否及び／又は動作モードを設定する報知動作設定手段と、を備え、
前記報知動作設定手段は、前記報知手段による報知動作の出力レベルを変化させる設定を行うことを特徴とする携帯型電子装置。
【請求項１３】
所定の報知動作を実行する報知手段と、
計測手段による計測に基づく自機の運動状態、及び、無線通信手段により取得された外部機器の運動状態に基づいて、前記報知動作の実行可否及び／又は動作モードを設定する報知動作設定手段と、を備え、
前記報知動作設定手段は、自機の運動状態が変化した場合に、前記外部機器に最新の運動状態に係る情報の送信を要求し、取得された当該最新の運動状態と自機の運動状態とに基づいて報知動作に係る設定を更新することを特徴とする携帯型電子装置。
【発明の詳細な説明】
【技術分野】
【０００１】
この発明は、携帯型電子装置、携帯型電子装置間の通信システム、携帯型電子装置の報知動作制御方法、及び、プログラムに関する。
【背景技術】
【０００２】
従来、Bluetooth（登録商標）といった近距離無線通信を用いて携帯端末（携帯型電子装置）間で通信を行い、必要に応じて略リアルタイムで情報を送受信することが可能な携帯端末及び通信システムがある。近距離無線通信を用いて複数の携帯端末に係る情報を一元管理したり、一の携帯端末で集約的に各種報知動作を行わせたりすることが出来る。
【０００３】
また、このような通信システムを構成する携帯端末には、電子腕時計が含まれる場合がある。電子腕時計は、他の携帯端末を手に保持して操作することが出来ないような状況でもユーザの腕に装着させておくことが出来る場合が多い。そこで、従来、携帯電話やスマートフォンといった他の携帯端末への電話や電子メールの着信状況を電子腕時計で取得して報知させる機能や、スマートフォンで設定されたアラーム報知動作を電子腕時計に行わせる機能などが開発されている。また、特許文献１には、携帯電話から近距離無線通信を用いて時刻情報を取得して電子腕時計の時刻を修正する技術について開示されている。
【０００４】
また、特許文献２には、カメラ付携帯電話におけるカメラのリモートシャッター機能を腕時計に持たせる際に、カメラ付携帯電話におけるモードの切り替えに連動して、自動的に腕時計でリモートシャッターに係る制御モードに移行される機能について記載されている。
【先行技術文献】
【特許文献】
【０００５】
【特許文献１】特開２００９−１１８４０３号公報
【特許文献２】特開２００９−１１８４７４号公報
【発明の概要】
【発明が解決しようとする課題】
【０００６】
しかしながら、従来の携帯端末では、ユーザの設定入力に基づいて一方又は複数の携帯端末の報知動作の可否や動作モードが切り替えられる。従って、状況が変化するたびにユーザに設定の変更を行わせる必要があり、操作が煩雑であったり、不適切な状況で報知動作が行われてしまったり、必要な報知動作をユーザが認識することが出来なかったりするという課題があった。
【０００７】
この発明の目的は、適切な報知動作により、ユーザの負担を軽減しながら容易且つ確実に必要な情報を取得可能な携帯型電子装置、通信システム、報知動作制御方法、及び、プログラムを提供することにある。
【課題を解決するための手段】
【０００８】
本発明は、上記目的を達成するため、
外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と、
前記外部機器との通信が切断されていた期間内に当該外部機器で生じた前記報知動作に係る所定のイベントの発生履歴の送信を要求して取得する履歴取得手段と、
を備え、
前記報知動作設定手段は、前記報知手段による報知動作の出力レベルを変化させる設定を行い、
前記報知動作制御手段は、取得された前記発生履歴に前記所定のイベントの発生が含まれている場合に、前記報知動作を行わせる
ことを特徴とする携帯型電子装置である。
【発明の効果】
【０００９】
本発明に従うと、携帯型電子装置、及び、通信システムにおける適切な報知動作により、ユーザの負担を軽減しながら容易且つ確実に必要な情報を取得可能となるという効果がある。
【図面の簡単な説明】
【００１０】
【図１】本発明の実施形態の通信システム示す全体図である。
【図２】電子時計の内部構成を示すブロック図である。
【図３】スマートフォンの内部構成を示すブロック図である。
【図４】報知動作モードに係る設定処理の制御手順を示すフローチャートである。
【図５】報知設定処理の制御手順を示すフローチャートである。
【図６】報知設定処理の制御手順の変形例を示すフローチャートである。
【図７】通信を再開する場合の各処理の制御手順を示すフローチャートである。
【図８】警告処理の制御手順を示すフローチャートである。
【図９】警告処理の制御手順を示すフローチャートである。
【図１０】盗難警告処理の制御手順を示すフローチャートである。
【図１１】盗難警告処理の制御手順を示すフローチャートである。
【図１２】盗難に係る警告処理の制御手順を示すフローチャートである。
【発明を実施するための形態】
【００１１】
以下、本発明の実施の形態を図面に基づいて説明する。
図１は、本発明の実施形態の通信システム１の全体を示す図である。
通信システム１は、外部機器としてのスマートフォン１０と、携帯型電子装置としての電子時計４０とにより構成される。この電子時計４０は、時計本体４００と、バンド４０１（装着手段）とを備え、ユーザの腕に装着が可能な腕時計型のものである。スマートフォン１０は、電子時計４０を装着したユーザにより手で保持されたり、鞄やポケットなどに納められたりして携帯される。これらの電子時計４０とスマートフォン１０との間では、近距離無線通信機能としてBluetoothによる相互通信が可能となっている。
【００１２】
図２は、電子時計４０の内部構成を示すブロック図である。また、図３は、スマートフォン１０の内部構成を示すブロック図である。
【００１３】
電子時計４０は、図２に示すように、ＣＰＵ（Central Processing Unit）４１（報知動作設定手段、報知動作制御手段、動作条件判別手段、通信切断手段、通信再開手段、履歴取得手段）と、ＲＯＭ（Read Only Memory）４２と、ＲＡＭ（Random Access Memory）４３と、操作部４４と、計時回路４５と、表示部５１（表示手段）及び表示部５１を駆動制御する表示ドライバ５２と、アンテナＡＮ４と、無線通信手段としてのBluetoothモジュール５３及びＵＡＲＴ（Universal Asynchronous Receiver Transmitter）５４と、計測手段としての加速度センサ５５と、振動モータ５６及びそのドライバ５７と、ピエゾ素子５８及びそのドライバ５９と、ＬＥＤ（発光ダイオード）６０及びそのドライバ６１と、ＣＰＵ４１と各部との間で信号のやり取りをするバス６２などを備えている。
【００１４】
ＣＰＵ４１は、電子時計４０の全体動作の統轄制御及び各種演算処理を行う。ＣＰＵ４１は、計時回路４５の計数する現在時刻に基づいて表示部５１に時刻表示を行わせる。また、ＣＰＵ４１は、加速度センサ５５から取得された加速度データに基づき電子時計４０の運動状態を判別すると共に、当該判別された運動状態と、Bluetoothモジュール５３を介してスマートフォン１０から取得されたスマートフォン１０の運動状態とに基づき、スマートフォン１０から取得された所定の情報に応じた表示を表示部５１に行わせたり、振動モータ５６、ピエゾ素子５８、ＬＥＤ６０の各部を動作させて報知を行わせたりすることが可能となっている。また、更に、ＣＰＵ４１は、アラーム時刻との一致などの自機におけるイベントの発生や、スマートフォン１０における後述する所定のイベントの発生に係る情報の受信といった所定の条件で、表示部５１への表示や振動モータ５６、ピエゾ素子５８、ＬＥＤ６０の各部の動作を行わせる。
【００１５】
ＲＯＭ４２は、ＣＰＵ４１が実行する種々の制御プログラムや初期設定データを記憶する。この制御プログラムの中には、スマートフォン１０などのBluetooth通信により通信接続可能な通信端末との間での報知動作に係る報知設定プログラム４２１（プログラム）が含まれている。
【００１６】
ＲＡＭ４３は、ＣＰＵ４１に作業用のメモリ空間を提供する。またＲＡＭ４３には、運動状態フラグ記憶部４３１が設けられ、電子時計４０の運動状態及びスマートフォン１０からBluetooth通信により取得されたスマートフォン１０の運動状態を記憶する。この運動状態は、報知動作の設定時に参照される。
【００１７】
操作部４４は、一又は複数のボタンスイッチを備え、ユーザが当該スイッチに対して行った操作に基づいて電気信号に変換して入力信号としてＣＰＵ１１に出力する。或いは、この操作部４４は、タッチパネルであり、デジタル表示を行う表示部５１と共用されても良い。
【００１８】
計時回路４５は、現在時刻を計数して保持するカウンタである。電子時計４０では、この現在時刻が読み出されて表示部５１に表示されたり、当該現在時刻データと各種機能に係る設定時刻データとが比較されて種々の動作が行われたりする。
【００１９】
表示部５１は、例えば、ドットマトリックス表示方式の液晶ディスプレイ（ＬＣＤ）を備える。ＣＰＵ４１から送られた制御信号により表示ドライバ５２（液晶ドライバ）が動作し、ＬＣＤを駆動して現在時刻、設定状態、或いは、各種機能のメニューなどの指定された内容に関する表示を行わせる。この表示部５１は、或いは、他の表示手段、例えば、有機ＥＬＤ（Electro-Luminescent Display）を備えても良く、表示ドライバ５２は、表示手段の種類によって適宜選択されて設けられる。
【００２０】
Bluetoothモジュール５３は、アンテナＡＮ４を介して外部機器との間でBluetooth通信を行うための制御モジュールである。このBluetoothモジュール５３としては、低消費電力規格（Bluetooth Low Energy）を用いることも可能である。ＣＰＵ４１から送られた送信データは、ＵＡＲＴ５４でシリアル／パラレル変換などの処理が行われて、Bluetoothモジュール５３から外部機器に送信される。また、外部機器からBluetoothモジュール５３を用いて受信された受信データは、ＵＡＲＴ５４でシリアル／パラレル変換などの処理が行われて、ＣＰＵ４１へ出力される。
【００２１】
加速度センサ５５は、直交する三軸方向の加速度を計測可能なセンサである。この加速度センサ５５は、重力方向への重力加速度を検出し、その方向を特定することが可能なものである。加速度センサ５５には、小型軽量のものが好ましく用いられ、例えば、ピエゾ抵抗素子を用いたものが用いられる。
【００２２】
振動モータ５６、ピエゾ素子５８、及び、ＬＥＤ（発光ダイオード）６０は、それぞれ、振動、ブザー音、光を発することでユーザに報知動作を行うためのものであり、表示部５１と共に報知手段を構成する。ＣＰＵ４１からドライバ５７、５９、６１にそれぞれ制御信号が送られると、ドライバ５７、５９、６１は、それぞれ、振動モータ５６、ピエゾ素子５８、ＬＥＤ６０を動作させるのに必要な電圧信号に変換して出力する。本実施形態の電子時計４０のドライバ５７、５９、６１は、ＣＰＵ４１からの制御信号に基づいて振動モータ５６の振動強度、ピエゾ素子５８の音量、及び、ＬＥＤ６０の発光強度といった出力レベルをそれぞれ変化させて出力させることが可能な構成となっている。
上記構成のうち、ＣＰＵ４１、ＲＯＭ４２、ＲＡＭ４３、操作部４４、表示部５１、及び、表示ドライバ５２によりコンピュータが構成される。
【００２３】
スマートフォン１０は、図３に示すように、ＣＰＵ１１（着信情報送信判別手段、着信情報送信設定手段）と、ＲＯＭ１２と、ＲＡＭ１３と、記憶部１４と、操作部１５と、内蔵時計１６と、表示操作部１７及びそのドライバ１８と、スピーカ１９と、マイク２０と、コーデック２１と、外部通信手段としてのＲＦ送受信回路２２と、ＲＦ送受信用のアンテナＡＮ１１と、通信回路２３と、Bluetoothモジュール２４と、ＵＡＲＴ２５と、Bluetooth通信送受信用のアンテナＡＮ１２と、加速度センサ２６と、振動モータ２７及びそのドライバ２８と、ＣＰＵ１１と各部とを接続するバス２９などを備えている。
【００２４】
ＣＰＵ１１は、スマートフォン１０の全体動作の統轄制御及び各種演算処理を行う。また、ＣＰＵ１１は、加速度センサ２６の計測値に基づいて自機の運動状態の判定を行う。そして、運動状態が変更されたときや電子時計４０から請求された場合には、Bluetoothモジュール２４に制御信号を送り、電子時計４０に対して当該運動状態に係る設定を送信させる。
【００２５】
ＲＯＭ１２は、ＣＰＵ１１が実行する種々のプログラムや初期設定データを格納する。また、ＲＡＭ１３は、ＣＰＵ１１に作業用のメモリ空間を提供し、作業用の一時データを記憶する。ＲＡＭ１３には、運動状態フラグ記憶部１３１が設けられ、スマートフォン１０の運動状態と、Bluetooth通信で受信された電子時計４０の運動状態とが記憶される。
【００２６】
記憶部１４は、不揮発性の読み書き可能なメモリであり、例えば、フラッシュメモリやＥＥＰＲＯＭ（Electrically Erasable and Programmable Read Only Memory）である。この記憶部１４には、例えば、スマートフォン１０で実行する種々のアプリケーションプログラムや、各種機能に係る保存データや設定データが記憶される。このアプリケーションプログラムには、Bluetooth通信を用いて電子時計４０との間での報知動作の設定を行う報知設定プログラム１４１が含まれる。また、この記憶部１４には、スマートフォン１０が受信した音声電話や電子メールのデータ及び着信履歴を記憶する着信履歴データ記憶部１４２が設けられている。
【００２７】
操作部１５は、一又は複数の操作キーを備え、ユーザが当該キーに対して行った操作に基づいて電気信号に変換した入力信号をＣＰＵ１１に出力する。
【００２８】
内蔵時計１６は、現在時刻を計数して保持するカウンタである。ＣＰＵ１１がこの現在時刻を読み出して表示操作部１７に表示させる。また、当該現在時刻データと各種機能に係る設定時刻データとが比較されて種々の動作が行われる。この内蔵時計１６の現在時刻データは、ＲＦ送受信回路２２による携帯基地局との通信時に随時修正される。
【００２９】
表示操作部１７は、例えば、液晶ディスプレイ（ＬＣＤ）を備える。ＣＰＵ１１から送られた制御信号によりドライバ１８（液晶ドライバ）が動作し、ＬＣＤを駆動してスマートフォン１０の各種機能に係る表示を行わせる。この表示操作部１７は、他の方式によるもの、例えば、有機ＥＬＤ（Electro-Luminescent Display）を備えても良く、ドライバ１８は、表示方式により適宜選択される。また、この表示操作部１７は、ＣＰＵ１１の制御によりタッチパネルとしてユーザに入力操作を行わせるためのメニュー表示を行い、タッチ入力操作を検出して電気信号に変換し、入力信号としてＣＰＵ１１に出力する。
【００３０】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。
なお、通話用のスピーカと音声を外部に出力するためのスピーカとを別個に備えることとしても良い。また、イヤホンへの音声出力が可能な構成であっても良い。
また、本実施形態のスマートフォン１０のスピーカ１９は、ユーザへの報知動作に係るアラーム音やお知らせメロディなどを出力可能となっている。なお、アラーム音は、スピーカ１９とは別個にピエゾ素子などが設けられてビープ音が出力される構成であっても良い。
【００３１】
ＲＦ送受信回路２２は、ＲＦ送受信用のアンテナＡＮ１１を用いて携帯基地局との間で行われる電話通信や電子メールなどのパケット通信の送受信処理を行う。また、通信回路２３は、ＲＦ送受信回路２２により送受信される送受信データの各種処理を行い、ＣＰＵ１１やコーデック２１との間でデータの受け渡しを行う。
【００３２】
Bluetoothモジュール２４は、アンテナＡＮ１２を介して電子時計４０などの携帯型電子装置とBluetooth通信を行うための制御モジュールである。ＣＰＵ１１から送られた送信データは、ＵＡＲＴ２５でシリアル／パラレル変換などの処理が行われて、Bluetoothモジュール２４から携帯型電子装置に送信される。また、携帯型電子装置からBluetoothモジュール２４を用いて受信された受信データは、ＵＡＲＴ２５でパラレル／シリアル変換などの処理が行われて、ＣＰＵ１１へ出力される。
【００３３】
加速度センサ２６は、直交する三軸方向の加速度を計測可能なセンサである。この加速度センサ２６は、重力方向への重力加速度を検出し、その方向を特定することが可能なものである。加速度センサ２６には、小型軽量のものが好ましく用いられ、例えば、ピエゾ抵抗素子を用いたものが用いられる。
【００３４】
振動モータ２７は、振動を発することでユーザに報知を行うためのものである。ＣＰＵ１１からドライバ２８に制御信号が送られると、ドライバ２８は、振動モータ２７を動作させるのに必要な電圧信号に変換して出力する。
【００３５】
次に、本実施形態の通信システム１による報知設定動作について説明する。
本実施形態の通信システム１を構成するスマートフォン１０及び電子時計４０では、加速度センサ５５、２６から継続的に加速度計測データが取得されて各々の運動状態の判定が行われている。この運動状態は、加速度の変化パターンに基づいて分類されるスマートフォン１０若しくは電子時計４０を保持するユーザの運動パターン、又は、静止状態であり、本実施形態のスマートフォン１０及び電子時計４０では、歩行状態、保持状態、及び静止状態の三種類の区分が設定され、分別判定される。保持状態には、例えば、移動していない、又は、車や列車などの交通手段で移動中のユーザが、手で保持し、腕に装着し、又は、ポケット、手に保持した鞄や背負っているリュックなどに仕舞っている状態が含まれる。静止状態には、例えば、机上や充電器上に載置され、又は、静止した鞄の中に放置されている状態が含まれる。
【００３６】
歩行状態の判定は、計測された三軸方向の加速度を重力方向（鉛直方向）と水平面内における移動方向とに基づいて座標変換された各方向の加速度変化パターンを、人の歩行に特徴的な加速度変化パターンとして従来知られているもの、即ち、鉛直方向への周期変化、及び、これに連動して生じる進行方向及び進行方向と鉛直方向とに垂直な方向への周期変化のパターンと比較することでなされる。
なお、腕振りの影響が現れる腕装着型の電子時計４０と、ポケットや鞄に保持された状態などでのスマートフォン１０とでは、若干加速度変化のパターンが異なるので、両方のパターンと比較可能としたり、製品に対応して設定を変更することを可能にしたりすることが出来る。
【００３７】
静止状態の判定は、重力加速度以外の加速度が継続的に計測されない状態の場合になされる。また、保持状態の判定は、歩行状態又は静止状態の何れかではない他の加速度パターンが計測された場合になされる。
なお、歩行状態ではなくても、例えば、走行時や自転車移動時などで大きな加速度変化が継続的に観測される場合には、歩行状態に準ずるものとして歩行状態の分類に含める設定とすることも出来る。
【００３８】
これら判定された運動状態は、歩行状態フラグ及び保持状態フラグによって設定される。即ち、これらのフラグの何れかがセットされることで、歩行状態、又は、保持状態であることが示され、何れもがリセットされた状態で静止状態であることが示される。
【００３９】
電子時計４０（又はスマートフォン１０）の運動状態が変化した場合には、Bluetooth
通信によりスマートフォン１０（又は電子時計４０）に変化した運動状態が通知される。
また、必要に応じてスマートフォン１０（又は電子時計４０）に最新の運動状態に係る情
報の送信を要求する。
【００４０】
電子時計４０において受信されたスマートフォン１０の運動状態は、運動状態フラグ記憶部４３１に記憶され、スマートフォン１０において受信された電子時計４０の運動状態は、運動状態フラグ記憶部１３１に記憶される。本実施形態の電子時計４０及びスマートフォン１０では、運動状態に係る情報が必要に応じてそれぞれ運動状態フラグ記憶部４３１、１３１から読み出されて、これら両者の運動状態に基づいて報知動作の設定及びその更新に用いられる。
【００４１】
以下、報知動作の可否や動作モードの設定に係る具体例を説明する。なお、以下の具体例は、各々独立なものとして説明するが、並列して実行可能なものについては並列処理が可能である。また、各具体例の一部を変形して並列処理を可能とすることが出来るものについては、適宜変更を行うことが出来る。
【００４２】
図４は、スマートフォン１０への電話や電子メールの着信を電子時計４０で報知する際の報知動作モードの設定を変更する報知動作モード設定処理に係るフローチャートの例である。
【００４３】
図４（ａ）に示す報知動作モード設定処理は、電子時計４０において、スマートフォン１０から運動状態の変更に係る情報を受信した場合に起動される。報知動作モード設定処理が開始されると、ＣＰＵ４１は、先ず、受信した外部機器、即ち、スマートフォン１０の運動状態が歩行状態であるか否かを判別する（ステップＳ４０１）。
【００４４】
外部機器の運動状態が歩行状態ではない（具体的には、運動状態フラグ記憶部４３１において外部機器の歩行状態フラグがリセット状態である）と判別された場合には（ステップＳ４０１で“ＮＯ”）、ＣＰＵ４１は、振動モータ５６の振動強度を「通常」に設定する（ステップＳ４０４）。そして、ＣＰＵ４１は、報知動作モード設定処理を終了する。
【００４５】
一方、外部機器の運動状態として歩行状態フラグが設定されていると判別された場合には（ステップＳ４０１で“ＹＥＳ”）、更に、ＣＰＵ４１は、自機、即ち、電子時計４０の運動状態が歩行状態であるか否かを判別する（ステップＳ４０２）。歩行状態ではないと判別された場合には（ステップＳ４０２で“ＮＯ”）、ＣＰＵ４１の処理は、ステップＳ４０４に移行する。歩行状態であると判別された場合には（ステップＳ４０２で“ＹＥＳ”）、ＣＰＵ４１は、振動モータ５６の振動強度を「強」に設定する（ステップＳ４０３）。そして、ＣＰＵ４１は、報知動作モード設定処理を終了する。
なお、この報知動作モード設定処理は、電子時計４０で運動状態の変化が検出された場合にも起動させることが出来る。この場合、ステップＳ４０１の判別処理において、ＣＰＵ４１は、スマートフォン１０の運動状態を必ずしもスマートフォン１０から改めて取得する必要はなく、運動状態フラグ記憶部４３１に記憶された運動状態に基づいて判別をすれば良い。
【００４６】
図４（ｂ）は、スマートフォン１０における運動状態の変更時の処理を示す運動状態送信処理の制御手順を示すフローチャートである。
【００４７】
スマートフォン１０において、運動状態が変化したか否かについては、運動状態フラグ記憶部１３１に記憶された運動状態フラグと、加速度センサ２６の計測値に基づいて判定された最新の運動状態との異同により判断される。スマートフォン１０の運動状態が変化したことが検出されると、この運動状態送信処理が起動されて、ＣＰＵ１１は、運動状態が歩行状態に変更されたのか否かを判別する（ステップＳ１０１）。歩行状態に変更されたと判別された場合には（ステップＳ１０１で“ＹＥＳ”）、ＣＰＵ１１は、歩行状態フラグをセットする信号をBluetooth通信により電子時計４０に送信する（ステップＳ１０２）。そして、ＣＰＵ１１は、運動状態フラグ記憶部１３１の運動状態設定を書き換えた後、運動状態送信処理を終了する。
【００４８】
歩行状態に変更されたのではないと判別された場合には（ステップＳ１０１で“ＮＯ”）、ＣＰＵ１１は、歩行状態フラグをリセットする信号をBluetooth通信により電子時計４０に送信する（ステップＳ１０３）。そして、ＣＰＵ１１は、運動状態フラグ記憶部１３１の運動状態設定を書き換えた後、運動状態送信処理を終了する。
なお、ステップＳ１０１の判別処理では、保持状態と静止状態との間で変化した場合にも“ＮＯ”に分岐するが、もともと歩行状態フラグがセットされていないので、歩行状態フラグは、リセット状態が維持される。或いは、ＣＰＵ４１は、この場合に更に判別を行ってBluetooth通信による電子時計４０への情報の送信を行わないこととしても良い。
【００４９】
図５は、電子時計４０におけるスマートフォン１０への電話及び／又は電子メールの着信報知に係る設定の手順を示す報知設定処理のフローチャートの例である。
【００５０】
図５（ａ）には、電子時計４０のＣＰＵ４１が実行する報知設定処理のフローチャートを示す。
この報知設定処理は、電子時計４０において運動状態の変化が検出された場合に開始される。電子時計４０において報知設定処理が開始されると、ＣＰＵ４１は、先ず、電子時計４０が歩行状態又は保持状態に変更されたか否かを判別する（ステップＳ４１１）。具体的には、ＣＰＵ４１は、歩行状態フラグ又は保持状態フラグの何れかがセットされたか否かにより判別処理を行う。何れかの状態に変更されたと判別された場合には（ステップＳ４１１で“ＹＥＳ”）、ＣＰＵ４１は、スマートフォン１０への着信に係る報知機能をオンに設定する（ステップＳ４１２）。それから、ＣＰＵ４１の処理は、ステップＳ４１４に移行する。
【００５１】
歩行状態又は保持状態への変更ではないと判別された場合（即ち、静止状態への変更である場合）には（ステップＳ４１１で“ＮＯ”）、ＣＰＵ４１は、スマートフォン１０への着信に係る報知機能をオフに設定する（ステップＳ４１３）。それから、ＣＰＵ４１の処理は、ステップＳ４１４に移行する。
【００５２】
ステップＳ４１４の処理に移行すると、ＣＰＵ４１は、変化した運動状態をスマートフォン１０に送信する。そして、ＣＰＵ４１は、報知設定処理を終了する。
【００５３】
図５（ｂ）は、スマートフォン１０のＣＰＵ１１が実行する報知設定処理の処理手順を示すフローチャートである。
この報知設定処理は、スマートフォン１０で加速度センサ２６の計測データに基づき運動状態の変化が検出された場合、又は、電子時計４０から運動状態の変化に係る情報が受信された場合に起動される。報知設定処理が開始されると、ＣＰＵ１１は、先ず、スマートフォン１０の運動状態が歩行状態又は保持状態の何れでもない（即ち、静止状態である）か否かを判別する（ステップＳ１１１）。歩行状態又は保持状態の何れかであると判別された場合には（ステップＳ１１１で“ＮＯ”）、ＣＰＵ４１の処理は、ステップＳ１１８に移行する。
【００５４】
一方、歩行状態又は保持状態の何れでもないと判別された場合には（ステップＳ１１１で“ＹＥＳ”）、ＣＰＵ１１は、運動状態フラグ記憶部１３１を参照して電子時計４０の運動状態を取得する（ステップＳ１１２）。ＣＰＵ１１は、電子時計４０の運動状態が歩行状態又は保持状態の何れかであるか否かを判別する（ステップＳ１１３）。何れでもないと判別された場合には（ステップＳ１１３で“ＮＯ”）、ＣＰＵ１１は、電子時計４０への着信情報の送信設定をオフとし（ステップＳ１１６）、それから、処理をステップＳ１１８に移行させる。
【００５５】
ステップＳ１１８の処理に移行すると、ＣＰＵ１１は、スマートフォン１０自身の着信報知機能をオンに設定する。そして、ＣＰＵ１１は、報知設定処理を終了する。
【００５６】
ステップＳ１１３の判別処理で、電子時計４０の運動状態が歩行状態又は保持状態の何れかであると判別された場合には（ステップＳ１１３で“ＹＥＳ”）、ＣＰＵ１１は、電子時計４０への着信情報の送信設定をオンとし（ステップＳ１１４）、また、スマートフォン１０自身の着信報知機能をオフに設定する（ステップＳ１１５）。そして、ＣＰＵ１１は、報知設定処理を終了する。
【００５７】
以上のように、本実施形態の報知設定処理では、電子時計４０とスマートフォン１０について、静止状態にある装置ではスマートフォン１０への電話又は電子メールの着信に係る報知動作を行わせない設定を行う。但し、スマートフォン１０及び電子時計４０の何れもが静止状態にある場合には、着信のあったスマートフォン１０自身に報知動作を行わせる設定とする。
【００５８】
図６には、スマートフォン１０のＣＰＵ１１が実行する報知設定処理の制御手順を示すフローチャートの変形例を示す。
【００５９】
この変形例のフローチャートでは、ステップＳ１１６の処理とステップＳ１１８の処理との間にステップＳ１１７の処理が挿入された点を除いて同一であり、同一の処理については、同一の符号を付して説明を省略する。
【００６０】
この変形例の報知設定処理では、ステップＳ１１６の処理でスマートフォン１０への着信に係る情報の送信をオフする設定処理が行われた後、ＣＰＵ１１は、スマートフォン１０と電子時計４０との間でのBluetooth通信の通信接続をオフする処理を行う（ステップＳ１１７）。即ち、スマートフォン１０が静止状態であり、且つ、電子時計４０も静止状態であると判別された場合には、両者が不使用状態であると判断して、ＣＰＵ１１は、Bluetooth通信を中止する。具体的には、ＣＰＵ１１は、Bluetoothモジュール２４に制御信号を送って、通信を切断する動作を行わせる。
なお、通信の切断の際には、ＣＰＵ１１は、切断時刻等の通信履歴を記憶部１４に記憶させる。
【００６１】
図７には、上述の変形例に係る報知設定処理でBluetooth通信が中止された後、このBluetooth通信を再開する場合に実行される各処理のフローチャートを示す。
【００６２】
図７（ａ）には、電子時計４０がBluetooth通信を再開させる処理を行う場合にＣＰＵ４１が実行する通信再開処理の制御手順を示す。この通信再開処理は、加速度センサ５５の計測データに基づき電子時計４０の運動状態が静止状態から他の状態に変化した場合に起動される。
通信再開処理が開始されると、ＣＰＵ４１は、先ず、通信が切断されているか否かを判別する（ステップＳ４２１）。通信が切断されていないと判別された場合には（ステップＳ４２１で“ＮＯ”）、ＣＰＵ４１の処理は、ステップＳ４２４に移行する。
【００６３】
通信が切断されていると判別された場合には（ステップＳ４２１で“ＹＥＳ”）、ＣＰＵ４１は、Bluetoothモジュール２４に制御信号を送り、Bluetooth通信の接続を確立する処理を実行する（ステップＳ４２２）。電子時計４０とスマートフォン１０との間でBluetooth通信の接続が確立されると、ＣＰＵ４１は、スマートフォン１０に対し、通信が切断されていた期間にスマートフォン１０にあった着信について着信履歴を送信するよう要求する（ステップＳ４２３）。それから、ＣＰＵ４１の処理は、ステップＳ４２４に移行する。
【００６４】
ステップＳ４２１又はステップＳ４２３の処理からステップＳ４２４の処理に移行すると、ＣＰＵ４１は、スマートフォン１０への着信に係る報知機能をオンする設定を行う（ステップＳ４２４）。そして、ＣＰＵ４１は、現在の電子時計４０の運動状態をスマートフォン１０に送信する（ステップＳ４２５）。
このとき、ＣＰＵ４１は、受信された着信履歴が空では無い場合、即ち、通信が切断されていた間に着信が有った場合には、通常の着信時と同様に着信に係る報知動作を行わせる。また、この着信報知動作と同時に、ＣＰＵ４１は、表示ドライバ５２に制御信号を出力し、当該着信履歴に係る所定の情報として表示部５１に表示可能な範囲で着信履歴をリスト表示させたり、着信件数を表示させたりすることが出来る。
その後、ＣＰＵ４１は、通信再開処理を終了する。
【００６５】
図７（ｂ）は、上述の電子時計４０における通信再開処理のステップＳ４２３でスマートフォン１０に送信された着信履歴の送信要求に対し、スマートフォン１０のＣＰＵ１１が実行する通信履歴送信処理の制御手順を示すフローチャートである。
【００６６】
通信履歴送信処理が開始されると、ＣＰＵ１１は、着信履歴データ記憶部１４２を参照して、Bluetooth通信による通信接続が切断されていた期間の着信履歴を電子時計４０に送信する（ステップＳ１２１）。次いで、ＣＰＵ１１は、スマートフォン１０への電話又は電子メールの着信情報を電子時計４０に送信する設定をオンする（ステップＳ１２２）。そして、ＣＰＵ１１は、通信履歴送信処理を終了する。
【００６７】
図７（ｃ）は、スマートフォン１０がBluetooth通信を再開させる場合にＣＰＵ１１が実行する通信再開処理の制御手順を示すフローチャートである。この通信再開処理は、スマートフォン１０において加速度センサ２６による計測データに基づき、スマートフォン１０の運動状態が静止状態から他の運動状態に変化した場合に起動される。
【００６８】
通信再開処理が開始されると、ＣＰＵ１１は、先ず、Bluetooth通信による電子時計４０との通信が切断されている状態であるか否かを判別する（ステップＳ１２６）。通信が切断されている状態ではないと判別された場合には（ステップＳ１２６で“ＮＯ”）、ＣＰＵ１１は、そのまま通信再開処理を終了する。通信が切断されている状態であると判別された場合には（ステップＳ１２６で“ＹＥＳ”）、ＣＰＵ１１は、Bluetoothモジュール２４に制御信号を送り、電子時計４０との通信接続を確立する処理を実行する（ステップＳ１２７）。そして、ＣＰＵ１１は、通信再開処理を終了する。
【００６９】
図８及び図９は、スマートフォン１０又は電子時計４０の何れかの置き忘れを判別して報知する警告処理の制御手順の例を示すフローチャートである。
【００７０】
図８（ａ）は、電子時計４０における警告処理の制御手順を示すフローチャートである。
この警告処理は、電子時計４０で歩行状態への変化が検出された場合に起動される。警告処理が起動されると、ＣＰＵ４１は、先ず、外部機器（スマートフォン１０）に最新の運動状態を送信する要求を送信し、スマートフォン１０から運動状態を受信、取得する（ステップＳ４３１）。
【００７１】
次いで、ＣＰＵ４１は、この取得されたスマートフォン１０の現在の運動状態が歩行状態であるか否かを判別する（ステップＳ４３２）。スマートフォン１０の運動状態が歩行状態であると判別された場合には（ステップＳ４３２で“ＹＥＳ”）、ＣＰＵ４１は、そのまま警告処理を終了する。歩行状態ではないと判別された場合には（ステップＳ４３２で“ＮＯ”）、ＣＰＵ４１は、ドライバ５７、５９、６１のうち一部、又は全てに制御信号を送信し、振動モータ５６、ピエゾ素子５８、ＬＥＤ６０のうち一部、又は、全てを動作させることで、ユーザにスマートフォン１０の置き忘れ報知動作を行う（ステップＳ４３３）。この置き忘れ報知動作は、所定時間で解除しても良いし、ユーザにより手動で停止操作が入力されるまで継続させても良い。置き忘れ報知動作が終了すると、ＣＰＵ４１は、警告処理を終了する。
【００７２】
ここで、ユーザが身に付けている電子時計４０が歩行状態へ変化するタイミングと、鞄の中にあるスマートフォン１０が歩行状態へ変化するタイミングとの間などでは、多少のタイムラグが生じる場合があるので、電子時計４０の運動状態が歩行状態に変化してからこの警告処理が起動されるまでの間に所定の遅延時間を設けることとしても良い。
【００７３】
図８（ｂ）には、スマートフォン１０において実行される運動状態送信処理のフローチャートを示す。
スマートフォン１０において、電子時計４０から運動状態の送信要求が受信されると、ＣＰＵ１１は、運動状態送信処理を起動し、加速度センサ２６の計測データに基づいて最新の運動状態の判定を行い、この運動状態を電子時計４０に送信する（ステップＳ１３１）。そして、ＣＰＵ１１は、運動状態送信処理を終了する。
なお、このとき、電子時計４０からスマートフォン１０に運動状態の送信要求を送信する際に、置き忘れ状態の確認のためのものであることを表す信号を含ませることで、スマートフォン１０から電子時計４０に送信する運動状態が歩行状態では無い場合、置き忘れた側のスマートフォン１０の側でも報知動作が行われるようにＣＰＵ１１を動作させても良い。
【００７４】
図９（ａ）は、スマートフォン１０における警告処理の制御手順を示すフローチャートである。
【００７５】
図８（ａ）における電子時計４０の警告処理と同様に、この警告処理は、スマートフォン１０において運動状態が歩行状態に変化した場合に起動される。警告処理が開始されると、ＣＰＵ１１は、先ず、電子時計４０に最新の運動状態を送信する要求を送信し、電子時計４０から運動状態を受信、取得する（ステップＳ１４１）。
【００７６】
次いで、ＣＰＵ１１は、取得された電子時計４０の運動状態が歩行状態であるか否かを判別する（ステップＳ１４２）。歩行状態であると判別された場合には（ステップＳ１４２で“ＹＥＳ”）、ＣＰＵ１１は、そのまま警告処理を終了する。歩行状態ではないと判別された場合には（ステップＳ１４２で“ＮＯ”）、ＣＰＵ１１は、ドライバ１８、２８、コーデック２１のうち一部、又は全てに制御信号を送信し、表示操作部１７、スピーカ１９、振動モータ２７のうち一部、又は、全てに所定の動作を行わせることで、ユーザに電子時計４０の置き忘れ報知動作を行う（ステップＳ１４３）。置き忘れ報知動作が終了すると、ＣＰＵ１１は、警告処理を終了する。
【００７７】
図９（ｂ）には、電子時計４０における運動状態送信処理を示す。
電子時計４０において、スマートフォン１０から運動状態の送信要求が受信されると、ＣＰＵ４１は、運動状態送信処理を起動し、加速度センサ５５の計測データに基づいて最新の運動状態の判定を行い、この運動状態をスマートフォン１０に送信する（ステップＳ４４１）。そして、ＣＰＵ４１は、運動状態送信処理を終了する。このとき、ＣＰＵ４１は、判定された運動状態が歩行状態では無い場合には、表示ドライバ５２、ドライバ５７、５９、６１のうち一部、又は、全てに制御信号を出力し、所定の報知動作を行わせることとしても良い。
【００７８】
図１０及び図１１は、スマートフォン１０又は電子時計４０の何れかが盗難された虞がある場合を判別して報知する盗難警告についての処理の制御手順の例をそれぞれ示すフローチャートである。
【００７９】
図１０（ａ）は、電子時計４０のＣＰＵ４１が実行する運動状態送信処理の制御手順を示すフローチャートである。
この運動状態送信処理は、電子時計４０において加速度センサ５５の計測データに基づいて判定される運動状態が変化した場合に起動される。
【００８０】
運動状態送信処理が開始されると、ＣＰＵ４１は、保持状態又は歩行状態の何れかに変更されたか否かを判別する（ステップＳ４５１）。保持状態又は歩行状態の何れでもない（静止状態である）と判別された場合には（ステップＳ４５１で“ＮＯ”）、ＣＰＵ４１は、そのまま運動状態送信処理を終了する。
【００８１】
何れかの運動状態に変更されたと判別された場合には（ステップＳ４５１で“ＹＥＳ”）、ＣＰＵ４１は、変化後の運動状態をスマートフォン１０に送信する（ステップＳ４５２）。そして、ＣＰＵ４１は、運動状態送信処理を終了する。
【００８２】
図１０（ｂ）は、スマートフォン１０においてＣＰＵ１１が実行する盗難警告処理の制御手順を示すフローチャートである。
この盗難警告処理は、電子時計から運動状態送信処理のステップＳ４５２において送信された運動状態がスマートフォン１０で受信された場合に起動される。
【００８３】
盗難警告処理が開始されると、ＣＰＵ１１は、スマートフォン１０の運動状態が保持状態であるか否かを判別する（ステップＳ１５１）。保持状態であると判別された場合には（ステップＳ１５１で“ＹＥＳ”）、ＣＰＵ４１は、電子時計４０から取得された運動状態が歩行状態であるか否かを判別する（ステップＳ１５２）。
【００８４】
歩行状態ではないと判別された場合には（ステップＳ１５２で“ＮＯ”）、ＣＰＵ１１は、そのまま盗難警告処理を終了する。歩行状態であると判別された場合には（ステップＳ１５２で“ＹＥＳ”）、ＣＰＵ１１は、ドライバ１８、２８、コーデック２１のうち一部、又は、全てに制御信号を出力し、表示操作部１７、振動モータ２７、スピーカ１９のうち一部、又は、全てに警告動作を行わせる（ステップＳ１５５）。また、ＣＰＵ１１は、電子時計４０に警告信号を送信する（ステップＳ１５６）。そして、ＣＰＵ１１は、盗難警告処理を終了する。
【００８５】
一方、ステップＳ１５１の判別処理で、スマートフォン１０の運動状態が保持状態ではないと判別された場合には（ステップＳ１５１で“ＮＯ”）、ＣＰＵ４１は、スマートフォン１０の運動状態が歩行状態であるか否かを判別する（ステップＳ１５３）。歩行状態ではないと判別された場合には（ステップＳ１５３で“ＮＯ”）、ＣＰＵ４１は、そのまま盗難警告処理を終了する。
【００８６】
歩行状態であると判別された場合には（ステップＳ１５３で“ＹＥＳ”）、ＣＰＵ４１は、電子時計４０から取得された運動状態が保持状態であるか否かを判別する（ステップＳ１５４）。保持状態ではないと判別された場合には（ステップＳ１５４で“ＮＯ”）、ＣＰＵ４１は、そのまま盗難警告処理を終了する。
【００８７】
保持状態であると判別された場合には（ステップＳ１５４で“ＹＥＳ”）、ＣＰＵ１１の処理は、ステップＳ１５５に移行し、ＣＰＵ１１は、警告動作を行うと共に、警告情報を電子時計４０に送信する（ステップＳ１５６）。
【００８８】
図１１（ａ）は、図１０（ａ）と反対に、スマートフォン１０で運動状態が変化した場合にＣＰＵ１１により実行される運動状態送信処理の制御手順を示すフローチャートである。図１１（ｂ）は、この運動状態送信処理に基づいて電子時計４０のＣＰＵ４１が実行する盗難警告処理の制御手順を示すフローチャートである。
【００８９】
図１１（ａ）に示すように、スマートフォン１０において運動状態送信処理が開始されると、ＣＰＵ１１は、保持状態又は歩行状態の何れかに変更されたか否かを判別する（ステップＳ１６１）。何れの運動状態でもない、即ち、静止状態に変更されたと判別された場合には（ステップＳ１６１で“ＮＯ”）、ＣＰＵ１１は、そのまま運動状態送信処理を終了する。
【００９０】
保持状態又は歩行状態の何れかに変更されたと判別された場合には（ステップＳ１６１で“ＹＥＳ”）、ＣＰＵ１１は、変化後の運動状態を電子時計４０に送信する（ステップＳ１６２）。そして、ＣＰＵ１１は、運動状態送信処理を終了する。
【００９１】
図１１（ｂ）に示すように、スマートフォン１０から運動状態送信処理のステップＳ１６２において送信された運動状態が電子時計４０で受信されて盗難警告処理が開始されると、ＣＰＵ４１は、電子時計４０の運動状態が保持状態であるか否かを判別する（ステップＳ４６１）。保持状態であると判別された場合には（ステップＳ４６１で“ＹＥＳ”）、ＣＰＵ４１は、スマートフォン１０から取得された運動状態が歩行状態であるか否かを判別する（ステップＳ４６２）。
【００９２】
スマートフォン１０の運動状態が歩行状態ではないと判別された場合には（ステップＳ４６２で“ＮＯ”）、ＣＰＵ４１は、そのまま盗難警告処理を終了する。歩行状態であると判別された場合には（ステップＳ４６２で“ＹＥＳ”）、ＣＰＵ４１は、表示ドライバ５２、ドライバ５７、５９、６１のうち一部、又は、全てに制御信号を出力し、表示部５１、振動モータ５６、ピエゾ素子５８、ＬＥＤ６０のうち一部、又は、全てに警告動作を行わせる（ステップＳ４６５）。また、ＣＰＵ４１は、スマートフォン１０に警告信号を送信する（ステップＳ４６６）。そして、ＣＰＵ４１は、盗難警告処理を終了する。
【００９３】
一方、ステップＳ４６１の判別処理で、電子時計４０の運動状態が保持状態ではないと判別された場合には（ステップＳ４６１で“ＮＯ”）、ＣＰＵ４１は、電子時計４０の運動状態が歩行状態であるか否かを判別する（ステップＳ４６３）。歩行状態ではないと判別された場合には（ステップＳ４６３で“ＮＯ”）、ＣＰＵ４１は、そのまま盗難警告処理を終了する。
【００９４】
電子時計４０の運動状態が歩行状態であると判別された場合には（ステップＳ４６３で“ＹＥＳ”）、ＣＰＵ４１は、スマートフォン１０から取得された運動状態が保持状態であるか否かを判別する（ステップＳ４６４）。保持状態ではないと判別された場合には（ステップＳ４６４で“ＮＯ”）、ＣＰＵ４１は、そのまま盗難警告処理を終了する。
【００９５】
スマートフォン１０の運動状態が保持状態であると判別された場合には（ステップＳ４６４で“ＹＥＳ”）、ＣＰＵ４１の処理は、ステップＳ４６５に移行し、ＣＰＵ４１は、警告動作を行うと共に、警告情報をスマートフォン１０に送信する（ステップＳ４６６）。
【００９６】
図１２は、Bluetooth通信により受信した盗難警告情報に基づく警告動作の動作手順を示すフローチャートである。
【００９７】
図１２（ａ）に示すように、電子時計４０において、スマートフォン１０から警告情報が受信されると、ＣＰＵ４１は、警告動作を行う（ステップＳ４７１）。警告動作の内容は、ステップＳ４６５の処理と同一であり、詳しい説明を省略する。そして、ＣＰＵ４１は、警告処理を終了する。
【００９８】
一方、図１２（ｂ）に示すように、スマートフォン１０において、電子時計４０から警告情報が受信されると、ＣＰＵ１１は、警告動作を行う（ステップＳ１７１）。警告動作の内容は、ステップＳ１５５の処理と同一であり、詳しい説明を省略する。そして、ＣＰＵ１１は、警告処理を終了する。
【００９９】
以上のように、本実施形態の電子時計４０は、Bluetooth通信を行うBluetoothモジュール５３と、加速度センサ５５と、報知動作を行う振動モータ５６、ピエゾ素子５８、及び、ＬＥＤ６０とを備え、電子時計４０のＣＰＵ４１は、加速度センサ５５の計測に基づいて判定された自機の運動状態と、Bluetooth通信により取得された外部機器であるスマートフォン１０の運動状態とに基づいて報知動作の実行可否及び／又は動作モードの変更の設定を行い、この設定に基づいて報知動作を行わせる。従って、ユーザの操作を介さずに自動的に適切な状況で必要な報知動作を実行することが出来るので、ユーザの負担を軽減しながら当該報知動作に係る必要な情報を得ることが出来る。
【０１００】
また、電子時計４０の運動状態とスマートフォン１０の運動状態とが異なる場合に、その異なる運動状態の組み合わせによって置き忘れの警告をしたり、盗難の警告をしたりすることが出来るので、紛失を防止し確実に電子時計４０及びスマートフォン１０を所持することが出来る。
【０１０１】
また、従来、電子時計４０とスマートフォン１０の距離が離れた場合のリンク切れで置き忘れの警告が行われているが、見通しが良い場合などで近距離無線通信の電波の到達可能距離が大きい場合には、警告がなされるまでに時間を要する場合があり、このような事態を避けることが出来るので、より容易、確実、且つ、スムーズにスマートフォン１０などの紛失を予防することが出来る。
【０１０２】
また、電子時計４０及びスマートフォン１０の運動状態に加え、更に、報知動作を行うための条件を設定することで、多様な報知動作に関して何れの機器で報知動作を行わせるかをユーザの手を煩わせずに容易且つ適切に設定することが出来る。
【０１０３】
また、スマートフォン１０への電話や電子メールの着信といったイベント発生についての報知を、スマートフォン１０自身で報知しづらい状況を適切に判断して電子時計４０で報知させることが出来るので、必要な連絡を適切なタイミングで取得することが出来る。
【０１０４】
また、特に、電子時計４０の運動状態とスマートフォン１０の運動状態とが異なった場合に、適切な待機時間（遅延時間）を設定可能とすることで、ユーザに不要且つ過剰な警告を行わず、且つ、必要な警告を適切なタイミングで行わせることが出来る。
【０１０５】
また、このような報知動作の可否や動作モードの設定を報知動作に係る条件ごとに個々に設定することが可能なので、多様な報知動作をそれぞれ最適な報知手段や報知タイミングで行わせることが出来る。
【０１０６】
また、歩行状態の場合など、報知動作をユーザが感知しにくい場合には、報知動作に係る出力レベルを上昇させることで、より確実にユーザに知得させる設定を行うことが出来る。
【０１０７】
また、電子時計４０の運動状態が変化した場合に、スマートフォン１０の最新の運動状態を取得しておくことで、タイミング悪く一時的にスマートフォン１０との通信接続が切断されてしまった場合にも報知動作の要否を判断可能とすることが出来る。
【０１０８】
また、電子時計４０とスマートフォン１０の何れもが静止状態である場合には、不使用状態と判断することが出来るので、Bluetooth通信を切断することで不要な電力消費を抑えることが出来る。この場合には、イベント発生に伴う報知動作は、そのイベントが発生した側の電子時計４０（又はスマートフォン１０）のみで行われれば良いので、Bluetooth通信を介して他方、即ち、スマートフォン１０（又は電子時計４０）により報知を行わせる必要がない。
【０１０９】
また、電子時計４０又はスマートフォン１０の何れか一方が静止状態から脱した場合には、その時点でBluetooth通信の接続を再開すればよいので、必要な場合における通信接続を適切に維持することが出来る。
【０１１０】
また、Bluetooth通信の接続を再開する場合に、静止状態が維持されている側の携帯型電子装置がスマートフォン１０や携帯電話などの通信機器である場合には、静止状態を脱した側の携帯型電子装置に着信履歴が送信される構成であるので、当該通信機器を動作させなくても容易且つ確実に着信情報を知得することが出来る。
【０１１１】
また、静止状態を脱した側の携帯型電子装置の表示部５１が取得された着信履歴を表示可能な構成である場合には、当該着信履歴も表示させることが出来るので、静止状態が維持されている携帯型電子装置を必要な場合にだけ動作させればよく、ユーザの手間が省ける。
【０１１２】
また、電子時計４０がバンド４０１を備える腕時計であることで腕装着が可能となるので、両手が塞がっていてスマートフォン１０や携帯電話を保持できない状況や、スマートフォン１０や携帯電話を手に保持することが好まれないフォーマルな席上などでも必要な情報を確実に知得することが出来る。
【０１１３】
また、ユーザ所望の複数のBluetooth通信に対応可能な携帯型電子装置と外部機器との間で上記の報知動作の設定のやり取りを行うことが出来るので、状況によって複数の電子時計４０を使い分けるユーザやスマートフォン１０及び携帯電話を併用するユーザに対して容易且つ的確に報知動作を行うことが出来る。従って、ユーザは煩雑な設定を行わずに必要な情報を適切なタイミングで知得することが出来る。
【０１１４】
また、携帯型電子装置に電話や電子メールの着信などのイベントの発生に係る報知を行わせる外部機器では、当該携帯型電子装置における報知動作の可否に応じてイベントの発生通知の外部機器への送信有無を切り替えることが出来るので、報知されない不要なデータ送信を行う必要が無い。
【０１１５】
また、上記の報知動作の制御に係るプログラムを所望の携帯型電子装置に搭載可能とすることで、ユーザ所望の携帯型電子装置と外部機器との間で柔軟に報知動作の制御を行うことが出来る。
【０１１６】
なお、本発明は、上記実施の形態に限られるものではなく、様々な変更が可能である。
例えば、上記実施の形態では、運動状態として、歩行状態、保持状態、及び、静止状態の三通りに区分した例を挙げて説明したが、他の区分であっても良い。或いは、より多くの区分数を定めても良い。
【０１１７】
また、上記実施の形態では、電子腕時計を例に挙げて説明したが、携帯型の他の時計、例えば、懐中時計などであっても良い。また、本発明の通信システム１は、電子時計４０とスマートフォン１０との組み合わせに限られず、スマートフォン１０同士や、スマートフォン１０と携帯電話の組み合わせ、その他、ＰＤＡ（Personal Digital Assistant）や種々のタブレット端末などを含んで構成されても良い。これらの適宜な組み合わせにより、例えば、着信情報などを一のスマートフォン１０や携帯電話などで管理することが出来る。
【０１１８】
また、上記実施の形態では、Bluetoothにより通信接続された携帯型電子装置と外部機器との二台の間での通信システム１を例に挙げて説明したが、三台以上の組み合わせに対しても適用することが出来る。
【０１１９】
また、上記実施の形態では、近距離無線通信としてBluetooth通信を用いたが、必要な情報のやり取りさえ可能であれば、状況に応じて他の方法、例えば、光通信や赤外線通信、ＵＷＢ（Ultra Wide Band）通信などを用いても良い。
【０１２０】
また、上記実施の形態では、運動状態に基づく動作モードの変更として歩行状態の際に振動モータの振動強度を上げる場合を例に挙げて説明したが、これに限られない。例えば、通常では振動モータだけによる報知動作を行い、歩行状態では音声出力を併用して報知動作を行わせる場合や、音声出力の音量を上昇させる場合や、表示部の表示の輝度を上げたり単純にコントラストの大きい表示、文字サイズや図形サイズの大きい表示に切り替えたりする場合などを含むことが出来る。また、歩行状態の際に出力レベルを上げる場合だけではなく、逆に、歩行状態や保持状態の出力レベルを通常の出力とし、静止状態の出力レベルを下げる制御を行っても良い。
【０１２１】
また、上記実施の形態では、運動状態の判定に加速度センサを用いた場合を例に挙げて説明したが、その他の計測機器、例えば、ジャイロセンサを用いたり、方位センサと組み合わせたりすることとしても良い。
【０１２２】
また、上記実施の形態では、報知動作を行う構成として表示部又は表示操作部の画面、振動モータ、ピエゾ素子、ＬＥＤ、スピーカを例に挙げて説明したが、その他のもの、例えば、豆電球などを用いても良い。
【０１２３】
また、上記実施の形態では、電子時計４０で報知を行うスマートフォン１０におけるイベントとして電話や電子メールの着信を例に挙げて説明したが、これに限られない。例えば、スマートフォン１０で設定されたアラーム時刻との一致やタイマー設定時間の経過、スマートフォン１０が備える他の計測センサの計測値に基づく動作や状況の検出などであっても良い。
【０１２４】
また、上記実施の形態では、本発明に係るプログラムのコンピュータ読み取り可能な媒体としてＲＯＭ４２及び不揮発性メモリからなる記憶部１４を使用した例を開示したが、この例に限定されない。その他のコンピュータ読み取り可能な媒体として、ＣＤ−ＲＯＭやＵＳＢメモリ等の可搬型記録媒体を適用することが可能である。また、本発明に係るプログラムのデータを通信回線を介して提供する媒体として、キャリアウェーブ（搬送波）も本発明に適用される。
その他、上記実施の形態で示した具体的な構成の細部や数値、制御手順などは、本発明の趣旨を逸脱しない範囲において適宜変更可能である。
【０１２５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１２６】
［付記］
＜請求項１＞
設定された外部機器との間で近距離無線通信によりデータの送受信を行う無線通信手段と、
自機の所定の運動状態を判定するための物理量を計測する計測手段と、
所定の報知動作を実行する報知手段と、
前記計測手段による計測に基づく自機の運動状態、及び、前記無線通信手段により取得された前記外部機器の運動状態に基づいて、前記報知動作の実行可否及び／又は動作モードを設定する報知動作設定手段と、
前記報知動作設定手段の設定に基づいて、前記報知手段に前記報知動作を行わせる報知動作制御手段と
を備えることを特徴とする携帯型電子装置。
＜請求項２＞
前記報知動作を実行するための所定の条件が満たされているか否かを判別する動作条件判別手段を備え、
前記報知動作制御手段は、前記報知動作設定手段により前記報知動作の実行が許可され、且つ、前記動作条件判別手段により前記所定の条件が満たされていると判別されたときに前記報知動作を行わせる
ことを特徴とする請求項１記載の携帯型電子装置。
＜請求項３＞
前記報知動作設定手段は、複数の前記所定の条件の各々に対して別個に前記設定を行うことを特徴とする請求項２記載の携帯型電子装置。
＜請求項４＞
前記所定の条件には、所定のイベントが前記外部機器で発生して、当該発生を示す情報が前記外部機器から受信されることが含まれることを特徴とする請求項２又は３記載の携帯型電子装置。
＜請求項５＞
前記報知動作設定手段は、前記外部機器の運動状態と自機の運動状態とが異なる場合に、前記報知手段による報知動作を許可することを特徴とする請求項１〜４の何れか一項に記載の携帯型電子装置。
＜請求項６＞
前記報知動作設定手段は、前記報知手段による報知動作の出力レベルを変化させる設定を行うことを特徴とする請求項１〜５の何れか一項に記載の携帯型電子装置。
＜請求項７＞
前記報知動作設定手段は、自機の運動状態が変化した場合に、前記外部機器に最新の運動状態に係る情報の送信を要求し、取得された当該最新の運動状態と自機の運動状態とに基づいて報知動作に係る設定を更新することを特徴とする請求項１〜６の何れか一項に記載の携帯型電子装置。
＜請求項８＞
前記外部機器の運動状態と自機の運動状態とが何れも静止状態である場合には、前記外部機器との前記無線通信手段による通信を切断する通信切断手段と、
通信が切断された状態で自機が静止状態を脱した場合には、前記通信を再接続する通信再開手段と
を備えることを特徴とする請求項１〜７の何れか一項に記載の携帯型電子装置。
＜請求項９＞
前記報知動作を実行するための所定の条件が満たされているか否かを判別する動作条件判別手段と、
前記通信再開手段が前記外部機器との通信を再接続する際に、通信が切断されていた期間内に当該外部機器で生じた前記報知動作に係る所定のイベントの発生履歴の送信を要求して取得する履歴取得手段と、
を備え、
前記報知動作制御手段は、前記報知動作設定手段により前記報知動作の実行が許可され、且つ、前記動作条件判別手段により前記所定の条件が満たされていると判別された場合又は取得された前記発生履歴に前記所定のイベントの発生が含まれている場合の何れかの場合に、前記報知動作を行わせる
ことを特徴とする請求項８記載の携帯型電子装置。
＜請求項１０＞
前記履歴取得手段により取得された前記発生履歴に係る所定の情報を表示する表示手段を備えることを特徴とする請求項９記載の携帯型電子装置。
＜請求項１１＞
ユーザの腕に装着するための装着手段を備えることを特徴とする請求項１〜１０の何れか一項に記載の携帯型電子装置。
＜請求項１２＞
請求項１〜１１の何れか一項に記載の携帯型電子装置を複数備え、当該複数の携帯型電子装置の間で前記近距離無線通信により送受信された互いの運動状態に基づいて前記複数の携帯型電子装置の各々における前記報知動作の設定及び制御を行う通信システム。
＜請求項１３＞
少なくとも一の前記携帯型電子装置は、
電話音声データ及び／又は電子メールデータを送受信する外部通信手段と、
他の前記携帯型電子装置から着信報知動作を行うことを許可する情報が受信されたか否かを判別する着信情報送信判別手段と、
当該着信情報送信判別手段により前記着信報知動作を行うことを許可する情報が受信されたと判別された場合に、電話及び／又は電子メールが着信した際に当該他の携帯型電子装置に対して着信情報を送信する設定を行う着信情報送信設定手段と
を備えることを特徴とする請求項１２記載の通信システム。
＜請求項１４＞
設定された外部機器との間で近距離無線通信によりデータの送受信を行う無線通信手段と、自機の所定の運動状態を判定するための物理量を計測する計測手段と、所定の報知動作を実行する報知手段と、を備える携帯型電子装置における報知動作制御方法であって、
前記計測手段による計測に基づく自機の運動状態、及び、前記無線通信手段により取得された前記外部機器の運動状態に基づいて、前記報知動作の実行可否及び／又は動作モードを設定する報知動作設定ステップ、
前記報知動作設定ステップにおける設定に基づいて、前記報知手段に前記報知動作を行わせる報知動作制御ステップ
を含むことを特徴とする報知動作制御方法。
＜請求項１５＞
設定された外部機器との間で近距離無線通信によりデータの送受信を行う無線通信手段と、自機の所定の運動状態を判定するための物理量を計測する計測手段と、所定の報知動作を実行する報知手段と、を備える携帯型電子装置に用いられるコンピュータを、
前記計測手段による計測に基づく自機の運動状態、及び、前記無線通信手段により取得された前記外部機器の運動状態に基づいて、前記報知動作の実行可否及び／又は動作モードを設定する報知動作設定手段、
前記報知動作設定手段の設定に基づいて、前記報知手段に前記報知動作を行わせる報知動作制御手段
として機能させるためのプログラム。
【符号の説明】
【０１２７】
１     通信システム
１０   スマートフォン
１１   ＣＰＵ
１２   ＲＯＭ
１３   ＲＡＭ
１３１ 運動状態フラグ記憶部
１４   記憶部
１４１ 報知設定プログラム
１４２ 着信履歴データ記憶部
１５   操作部
１６   内蔵時計
１７   表示操作部
１８   ドライバ
１９   スピーカ
２０   マイク
２１   コーデック
２２   ＲＦ送受信回路
２３   通信回路
２４   Bluetoothモジュール
２５   ＵＡＲＴ
２６   加速度センサ
２７   振動モータ
２８   ドライバ
２９   バス
４０   電子時計
４１   ＣＰＵ
４２   ＲＯＭ
４２１ 報知設定プログラム
４３   ＲＡＭ
４３１ 運動状態フラグ記憶部
４４   操作部
４５   計時回路
５１   表示部
５２   表示ドライバ
５３   Bluetoothモジュール
５４   ＵＡＲＴ
５５   加速度センサ
５６   振動モータ
５７   ドライバ
５８   ピエゾ素子
５９   ドライバ
６０   ＬＥＤ
６１   ドライバ
６２   バス
ＡＮ１１      アンテナ
ＡＮ１２      アンテナ
ＡＮ４ アンテナ
【図１】
0006477741.tif 000002
【図２】
0006477741.tif 000003
【図３】
0006477741.tif 000004
【図４】
0006477741.tif 000005
【図５】
0006477741.tif 000006
【図６】
0006477741.tif 000007
【図７】
0006477741.tif 000008
【図８】
0006477741.tif 000009
【図９】
0006477741.tif 000010
【図１０】
0006477741.tif 000011
【図１１】
0006477741.tif 000012
【図１２】
0006477741.tif 000013